(57)【要約】【課題】借用器材に含まれるインプラントの管理を行うシステムを提供する。【解決手段】外部から借用した医療器材である借用器材に関する情報の入力に基づいて、当該借用器材の中にインプラントが含まれているかどうかを判別する判別部、借用器材の中にインプラントが含まれている場合、当該インプラントを登録するための登録画面を表示させる表示制御部、登録画面において選択されたインプラントの画像を当該インプラントが含まれる借用器材と関連付けて登録する器材登録部を有するインプラント管理システム。【選択図】図１
2018036746.tif 000002
【特許請求の範囲】
【請求項１】
外部から借用した医療器材である借用器材に関する情報の入力に基づいて、当該借用器材の中にインプラントが含まれているかどうかを判別する判別部と、
前記借用器材の中にインプラントが含まれている場合、当該インプラントを登録するための登録画面を表示させる表示制御部と、
前記登録画面において選択された前記インプラントの画像を当該インプラントが含まれる借用器材と関連付けて登録する器材登録部と、
を有するインプラント管理システム。
【請求項２】
前記インプラントは、複数の個品を含み、
前記器材登録部は、前記個品の画像及び前記個品の数を当該インプラントが含まれる借用器材と関連付けて登録することを特徴とする請求項１記載のインプラント管理システム。
【請求項３】
指示入力に基づいて借用器材のカウントを実行するカウント処理部を有し、
前記表示制御部は、前記借用器材の使用後に、当該借用器材に関連付けられた個品の画像を表示させ、
前記カウント処理部は、前記個品の画像の選択に基づいて、前記個品のカウントを実行することを特徴とする請求項２記載のインプラント管理システム。
【請求項４】
前記器材登録部は、前記個品を識別するための識別情報を前記個品の画像に関連付けて登録し、
前記表示制御部は、前記個品の画像と併せて前記識別情報を表示させることを特徴とする請求項３記載のインプラント管理システム。
【請求項５】
使用されなかった前記個品を撮影した撮影画像、及び前記個品の画像に基づいて、使用された個品を特定する特定部を有し、
前記表示制御部は、特定された前記個品の画像と他の個品の画像とを異なる態様で表示させることを特徴とする請求項２記載のインプラント管理システム。
【請求項６】
前記器材登録部は、前記インプラントまたは前記個品の登録を行ったユーザー情報を前記インプラントの画像に関連付けて登録することを特徴とする請求項１〜５のいずれか一つに記載のインプラント管理システム。
【請求項７】
外部から借用した医療器材である借用器材を登録するための第１の登録画面を表示させる表示制御部と、
前記第１の登録画面において選択された借用器材を登録する器材登録部と、
前記借用器材に関する情報の入力に基づいて、当該借用器材の中にインプラントが含まれているかどうかを判別する判別部と、
を有し、
前記借用器材の中にインプラントが含まれている場合、前記表示制御部は、当該インプラントを登録するための第２の登録画面を表示させ、
前記器材登録部は、前記第２の登録画面において選択された前記インプラントの画像を当該インプラントが含まれる借用器材と関連付けて登録するインプラント管理システム。
【請求項８】
コンピュータに、
外部から借用した医療器材である借用器材に関する情報の入力に基づいて、当該借用器材の中にインプラントが含まれているかどうかを判別させ、
前記借用器材の中にインプラントが含まれている場合、当該インプラントを登録するための登録画面を表示させ、
前記登録画面において選択された前記インプラントの画像を当該インプラントが含まれる借用器材と関連付けて登録させるインプラント管理プログラム。
【発明の詳細な説明】
【技術分野】
【０００１】
本発明はインプラント管理システム、及びインプラント管理プログラムに関する。
【０００２】
患者に対し手術や処置などの医療行為を実施する際には、複数の医療器材を使用することが一般的である。
【０００３】
これらの医療器材のうち医療機関が所有するものに関しては、医療器材毎（医療器材に含まれる個々の器材毎）に固有の識別子（二次元シンボル）を付し、当該識別子に基づいて電子的に管理できる。或いは、識別子を付すことができない医療器材であっても、テープ等の目印を付すことにより管理が可能となる。
【０００４】
一方、医療行為に使用する医療器材としては、メーカーから借り入れる医療器材（外部から借用した医療器材。以下、「借用器材」という場合がある）もある。借用器材は、たとえば、特定の手術専用の特殊な医療器材である。このような特殊な医療器材は、頻繁に使用することがないため、保管スペースや管理コストの問題から医療機関で所有することなく、必要に応じてメーカーから借り入れ、使用した後に返却することが一般的である。
【０００５】
このような借用器材は、医療機関側で固有の識別子や目印を付すことができないため、メーカーが作成した紙ベースの借用伝票や納入伝票を用いて管理されている。
【０００６】
しかし、伝票には借用器材名等が記載されているだけであるため、手元にある借用器材が伝票に記載されている器材であるかどうか、借用器材に含まれる個々の器材の過不足は無いか等を判別することが困難である。従って、医療機関側では借用器材の管理が不十分となりがちである。
【０００７】
ここで、特許文献１には、医療機関と当該医療機関で使用する医療用具の供給者との間の通信ネットワークを利用して、当該医療用品の供給者が当該医療機関に供給した医療用具の管理を行う技術が開示されている（特開２００２−１３２９２７号公報）。
【先行技術文献】
【特許文献】
【０００８】
【特許文献１】特開２００２−１３２９２７号公報
【発明の概要】
【発明が解決しようとする課題】
【０００９】
ところで、借用器材はインプラントを含む場合がある。インプラントは、たとえば、人工関節、心臓用の機械弁、胆管拡張用のステント等、医療行為により患者の体内に留置される器材である。インプラントは、異なる種類のものが一の借用器材中に複数備わっている場合がある。或いは、一のインプラントが類似する複数の個品（たとえば、サイズの異なる複数の人工関節）を含む場合もある。
【００１０】
手術を担当する医師は、複数のインプラント（インプラントに含まれる個品）の中から患者に必要なものを選択して体内に留置する。このようなインプラント同士（特にインプラントに含まれる個品同士）は形状や名称が類似するため、紙ベースの伝票だけでは管理が困難である。
【００１１】
更に、複数のインプラント（インプラントに含まれる個品）の一部は体内に留置されるため、医療行為の前後で数が異なる。インプラントの管理ではこのような数量の違いを把握する必要があるため、通常の医療器材に比べ管理がより困難となる。
【００１２】
本発明の目的は、借用器材に含まれるインプラントの管理を行うためのシステムを提供することにある。
【課題を解決するための手段】
【００１３】
上記目的を達成するための主たる発明は、外部から借用した医療器材である借用器材に関する情報の入力に基づいて、当該借用器材の中にインプラントが含まれているかどうかを判別する判別部と、前記借用器材の中にインプラントが含まれている場合、当該インプラントを登録するための登録画面を表示させる表示制御部と、前記登録画面において選択された前記インプラントの画像を当該インプラントが含まれる借用器材と関連付けて登録する器材登録部とを有するインプラント管理システムである。
本発明の他の特徴については、本明細書の記載により明らかにする。
【発明の効果】
【００１４】
本発明によれば、借用器材に含まれるインプラントの管理を行うことができる。
【図面の簡単な説明】
【００１５】
【図１】第１実施形態に係るインプラント管理システムの構成を示す模式図である。
【図２】第１実施形態に係る借用器材記憶部に記憶されているデータ例を示す図である。
【図３Ａ】第１実施形態において借用器材の登録を行う際に、端末の表示部に表示される画面を示す。
【図３Ｂ】第１実施形態において借用器材の登録を行う際に、端末の表示部に表示される画面を示す。
【図３Ｃ】第１実施形態において借用器材の登録を行う際に、端末の表示部に表示される画面を示す。
【図３Ｄ】第１実施形態において借用器材の登録を行う際に、端末の表示部に表示される画面を示す。
【図４Ａ】第１実施形態において器材の登録を行う際に、端末の表示部に表示される画面を示す。
【図４Ｂ】第１実施形態において器材の登録を行う際に、端末の表示部に表示される画面を示す。
【図５Ａ】第１実施形態においてインプラントの登録を行う際に、端末の表示部に表示される画面を示す。
【図５Ｂ】第１実施形態においてインプラントの登録を行う際に、端末の表示部に表示される画面を示す。
【図６Ａ】第１実施形態において個品の登録を行う際に、端末の表示部に表示される画面を示す。
【図６Ｂ】第１実施形態において個品の登録を行う際に、端末の表示部に表示される画面を示す。
【図７Ａ】第１実施形態において借用器材の登録後に、端末の表示部に表示される画面を示す。
【図７Ｂ】第１実施形態において借用器材の登録後に、端末の表示部に表示される画面を示す。
【図８Ａ】第１実施形態において器材のカウントを行う際に、端末の表示部に表示される画面を示す。
【図８Ｂ】第１実施形態において器材のカウントを行う際に、端末の表示部に表示される画面を示す。
【図９Ａ】第１実施形態において個品のカウントを行う際に、端末の表示部に表示される画面を示す。
【図９Ｂ】第１実施形態において個品のカウントを行う際に、端末の表示部に表示される画面を示す。
【図１０Ａ】第１実施形態において借用器材の洗浄・組立・滅菌を行う際に、端末の表示部に表示される画面を示す。
【図１０Ｂ】第１実施形態において借用器材の洗浄・組立・滅菌を行う際に、端末の表示部に表示される画面を示す。
【図１１Ａ】第１実施形態において借用器材の返却を行う際に、端末の表示部に表示される画面を示す。
【図１１Ｂ】第１実施形態において借用器材の返却を行う際に、端末の表示部に表示される画面を示す。
【図１２】第２実施形態に係るインプラント管理システムの構成を示す模式図である。
【発明を実施するための形態】
【００１６】
後述する明細書及び図面の記載から、上記の主たる発明の他、少なくとも以下の事項が明らかとなる。
【００１７】
すなわち、前記インプラントは、複数の個品を含み、前記器材登録部は、前記個品の画像及び前記個品の数を当該インプラントが含まれる借用器材と関連付けて登録するインプラント管理システムが明らかとなる。このようなシステムによれば、インプラントに含まれる個品の管理が可能となる。
【００１８】
また、指示入力に基づいて借用器材のカウントを実行するカウント処理部を有し、前記表示制御部は、前記借用器材の使用後に、当該借用器材に関連付けられた個品の画像を表示させ、前記カウント処理部は、前記個品の画像の選択に基づいて、前記個品のカウントを実行するインプラント管理システムが明らかとなる。このようなシステムによれば、インプラントに含まれる個品の使用状況を把握することができる。
【００１９】
また、前記器材登録部は、前記個品を識別するための識別情報を前記個品の画像に関連付けて登録し、前記表示制御部は、前記個品の画像と併せて前記識別情報を表示させるインプラント管理システムが明らかとなる。このようなシステムによれば、一のインプラントに類似する個品が複数含まれている場合であっても、それぞれの個品を容易に識別することができる。
【００２０】
また、使用されなかった前記個品を撮影した撮影画像、及び前記個品の画像に基づいて、使用された個品を特定する特定部を有し、前記表示制御部は、特定された前記個品の画像と他の個品の画像とを異なる態様で表示させるインプラント管理システムが明らかとなる。このようなシステムによれば、複数の個品のうち、実際に使用された個品を容易に把握することができる。
【００２１】
また、前記器材登録部は、前記インプラントまたは前記個品の登録を行ったユーザー情報を前記インプラントの画像に関連付けて登録するインプラント管理システムが明らかとなる。このようなシステムによれば、インプラントまたは個品の登録を行った作業者を併せて管理することができる。
【００２２】
また、外部から借用した医療器材である借用器材を登録するための第１の登録画面を表示させる表示制御部と、前記第１の登録画面において選択された借用器材を登録する器材登録部と、前記借用器材に関する情報の入力に基づいて、当該借用器材の中にインプラントが含まれているかどうかを判別する判別部と、を有し、前記借用器材の中にインプラントが含まれている場合、前記表示制御部は、当該インプラントを登録するための第２の登録画面を表示させ、前記器材登録部は、前記第２の登録画面において選択された前記インプラントの画像を当該インプラントが含まれる借用器材と関連付けて登録するインプラント管理システムが明らかとなる。このようなシステムによれば、借用器材、及び当該借用器材に含まれるインプラントの管理を行うことができる。
【００２３】
更に、コンピュータに、外部から借用した医療器材である借用器材に関する情報の入力に基づいて、当該借用器材の中にインプラントが含まれているかどうかを判別させ、前記借用器材の中にインプラントが含まれている場合、当該インプラントを登録するための登録画面を表示させ、前記登録画面において選択された前記インプラントの画像を当該インプラントが含まれる借用器材と関連付けて登録させるインプラント管理プログラムが明らかとなる。このようなプログラムによれば、借用器材に含まれるインプラントの管理を行うことができる。
【００２４】
＜第１実施形態＞
図１〜１１Ｂを参照して、第１実施形態に係るインプラント管理システム（以下、「システム１」という場合がある）について説明する。
【００２５】
＝＝インプラント管理システム＝＝
図１に示すように、本実施形態に係るシステム１は、端末（この例では「端末Ｐ１」及び「端末Ｐ２」の２つ）、及びサーバＳを備える。各端末及びサーバＳは、イントラネット、ローカルエリアネットワーク（ＬＡＮ）、インターネット等のネットワークＮを介し、有線または無線通信可能に接続される。端末は、据え置き型のパーソナルコンピュータや、携帯端末（ノート型パーソナルコンピュータ、タブレット端末等）である。
【００２６】
＝＝サーバ＝＝
サーバＳは、各種情報の蓄積・管理を行ったり、端末に対して各種情報を送受信するコンピュータである。本実施形態に係るサーバＳは、端末間における情報の送受信を中継する役割を有する。サーバＳは、各端末が配置される病院内に設けられてもよいし、サーバ管理会社等、別の場所に設けられていてもよい。
【００２７】
サーバＳは、記憶部１０及び通信部２０を有する。記憶部１０（サーバ側の記憶部）は、医療器材に関する情報等を記憶する大容量の記憶装置である。記憶部１０は、たとえば端末から送信された借用器材に関するデータ（後述）を記憶することができる。通信部２０は、ネットワークＮを介して各端末とデータの送受信を行う。
【００２８】
＝＝端末＝＝
端末Ｐ１及び端末Ｐ２は、医療行為で使用する借用器材の表示を行ったり、サーバＳとの間で情報の送受信を行うための装置である。各端末は、病院内の様々なエリアに配置することができる。たとえば、端末Ｐ１は使用前の借用器材を保管するエリアに配置され、端末Ｐ２は使用後の借用器材を回収するエリアに配置される。なお、本実施形態において、「借用器材の使用前（使用後）」は、「（当該借用器材を使用する）医療行為の前（医療行為の後）」と同義である。
【００２９】
＜＜端末Ｐ１＞＞
本実施形態に係る端末Ｐ１は、借用器材にインプラントが含まれているかどうかを判別し、インプラントが含まれている場合には、その画像を借用器材と関連付けて登録するための装置として機能する。端末Ｐ１は、通信部３０、記憶部６０、制御部７０を備え、表示部４０及び操作部５０に接続されている。
【００３０】
（通信部・表示部・操作部）
通信部３０は、ネットワークＮを介してサーバＳや端末Ｐ２とのデータの送受信を行う。表示部４０は、借用器材やインプラントの画像等を表示する。表示部４０は、端末Ｐ１と一体化された構成であってもよい。操作部５０は、マウス等の入力手段である。或いは、タッチパネル方式の表示部４０が操作部５０を兼ねるように構成してもよい。操作部５０は、端末Ｐ１と一体化された構成であってもよい。作業者は、操作部５０を介して端末Ｐ１に対する指示入力を行う。
【００３１】
（記憶部）
記憶部６０は、各種のデータを記憶する大容量の記憶装置である。図１に示すように、本実施形態では、借用器材記憶部６０ａ及び表示レイアウト記憶部６０ｂが記憶部６０の記憶領域の一部として構成される。
【００３２】
借用器材記憶部６０ａは、借用器材に関するデータを記憶する。図２は、借用器材記憶部６０ａに記憶されるデータの一例である。図２に示すように、借用器材毎に、識別情報（借用器材ＩＤ）、借用器材情報（後述）、借用器材の画像データ（借用器材画像）、借用器材に含まれる個々の器材の画像データ（器材画像）、借用器材に含まれるインプラントの画像データ（インプラント画像）、インプラントに含まれる個品の画像データ（個品画像）、及び個品の数が関連付けて記憶されている。各種画像データは、表示部４０に各種器材を表示するためのデータである。
【００３３】
表示レイアウト記憶部６０ｂは、各種表示画面（図３Ａ等参照）のレイアウトデータを有する。第１の表示制御部７０ａ（後述）は、レイアウトデータに基づいて表示部４０の表示画面を構成する。なお、レイアウトデータはサーバＳの記憶部１０等に記憶されていてもよい。
【００３４】
（制御部）
制御部７０は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。制御部７０は、操作部５０からの信号（指示入力）に基づいて、対応する処理を実行する。
【００３５】
本実施形態に係る制御部７０は、第１の表示制御部７０ａ、器材登録部７０ｂ、及び判別部７０ｃとして機能する。
【００３６】
［第１の表示制御部］
第１の表示制御部７０ａは、端末Ｐ１における各種表示制御を行う。
【００３７】
本実施形態に係る第１の表示制御部７０ａは、借用器材を登録するための登録画面（第１の登録画面）を表示部４０に表示させる。また、第１の表示制御部７０ａは、借用器材の中にインプラントが含まれている場合、当該インプラントを登録するための登録画面（第２の登録画面）を表示させる。これらの登録画面の詳細については後述する。
【００３８】
登録画面の表示は、表示レイアウト記憶部６０ｂに記憶されているレイアウトデータに基づいて行われる。第１の表示制御部７０ａは「表示制御部」の一例である。
【００３９】
［器材登録部］
器材登録部７０ｂは、借用器材及び借用器材に含まれるインプラントをシステム１に登録する処理を行う。
【００４０】
器材登録部７０ｂは、第１の登録画面において選択された借用器材を登録する。また、器材登録部７０ｂは、第２の登録画面において選択されたインプラントの画像を当該インプラントが含まれる借用器材と関連付けて登録する。
【００４１】
インプラントが複数の個品を含む場合、器材登録部７０ｂは、個品の画像及び個品の数を当該インプラントが含まれる借用器材と関連付けて登録することも可能である。
【００４２】
この際、器材登録部７０ｂは、個品を識別するための識別情報を個品の画像に関連付けて登録してもよい。一のインプラントに含まれる個品は、サイズや形状が多少異なるだけであり、一見して区別がつきにくいものが多い。そこで、器材登録部７０ｂは、個品の画像に当該個品の識別を容易にする情報（識別情報）を関連付けて登録する。識別情報は、個品毎の長さ、径、重量等、個々の個品を区別するための情報である。識別情報は、第２の登録画面において、作業者が操作部５０を介して入力することにより登録される。
【００４３】
更に、器材登録部７０ｂは、インプラントまたは個品の登録を行ったユーザー情報（作業者名、作業者ＩＤ等）をインプラントの画像に関連付けて登録することができる。カウントを行った作業者は、たとえば端末へのログイン状況により特定することができる。
【００４４】
なお、本実施形態において、借用器材等の登録は、借用器材の画像等を借用器材記憶部６０ａに記憶させることと同義である。また、器材登録部７０ｂは、通信部３０を介して借用器材に関するデータをサーバＳに送信し、記憶部１０に記憶させることでもよい。
【００４５】
［判別部］
判別部７０ｃは、借用器材に関する情報の入力に基づいて、当該借用器材の中にインプラントが含まれているかどうかを判別する。
【００４６】
借用器材を登録する際、作業者は登録画面で借用器材に関する情報の入力を行う。判別部７０ｃは、当該入力された情報を参照し、インプラントの有無を判別する。インプラントが含まれている場合、判別部７０ｃはその旨の信号を第１の表示制御部７０ａに出力する。当該信号が入力された場合、第１の表示制御部７０ａは、作業者からの指示入力に基づいて、インプラントを登録するための登録画面（第２の登録画面）を表示させる。
【００４７】
［借用器材の登録から登録後の表示までの具体例］
ここで、図３Ａ〜図７Ｂを参照し、新たな借用器材Ｘの登録から登録後の表示までに端末Ｐ１で実行される処理の具体例について説明を行う。図３Ａ〜図７Ｂは、表示部４０に表示される画面を示す。作業者は操作部５０を介して各種入力（選択）を行うとする。
【００４８】
新たな借用器材Ｘは複数の器材及びインプラント（インプラントｐ１、インプラントｐ２）を含んで構成される。借用器材Ｘは、２段のトレー（トレーＴ１、トレーＴ２）からなり、各トレーに個々の器材やインプラントが配置されている。インプラントｐ１は複数の個品（個品ｅ１〜個品ｅ４）を含む。また、借用器材Ｘ等の画像は、撮影機器により予め撮影され、記憶部６０に記憶されているものとする。記憶部６０において、借用器材Ｘの画像、借用器材Ｘに含まれる器材や器材が配置されたトレーの画像、インプラントの画像、個品の画像はそれぞれ別のフォルダに格納されているとする。
【００４９】
１．借用器材の登録
作業者が端末Ｐ１からシステム１にログインした場合、第１の表示制御部７０ａは、借用器材の登録画面を表示させる（図３Ａ参照）。ここで、作業者が追加アイコンＩ１を選択すると、第１の表示制御部７０ａは、借用器材に関する画像が含まれるフォルダを表示させる（図３Ｂ参照）。作業者は、フォルダの中から借用器材Ｘの画像を選択する。
【００５０】
第１の表示制御部７０ａは、選択された借用器材Ｘの画像を表示部４０に表示させる（図３Ｃ及び図３Ｄ参照）。また、第１の表示制御部７０ａは、借用器材Ｘに関する情報を入力するための入力欄を画像に重ねて表示させる（図３Ｃ参照）。作業者は、入力欄に必要な情報を入力する。この例では、借用器材Ｘを使用する予定日（使用予定日）、使用時間、使用する部屋（手術室）、診療科、患者名、術式、手配ステータス、借用器材名称、借用器材に含まれる器材の数（器材点数）、滅菌方法、インプラントの有無、医師／業者名、業者担当者、借用日、返却予定日を記入する。
【００５１】
借用器材Ｘに関する情報の入力が完了すると、作業者はアイコンＩ２を選択する。第１の表示制御部７０ａは、借用器材Ｘの画像及び入力された借用器材Ｘに関する情報を表示させる（図３Ｄ参照）。ここで作業者が登録アイコンＩ３を選択すると、器材登録部７０ｂは、借用器材Ｘに関する情報及び借用器材Ｘの画像を医療器材記憶部６０ａに登録する。図３Ａ〜図３Ｄは、「第１の登録画面」の一例である。
【００５２】
２．借用器材に含まれる個々の器材の登録
借用器材Ｘは複数の器材を含む。この場合、これらの器材についても個別に登録することができる。ここではインプラントを含む複数の器材が配置されたトレーＴ１の登録例について述べる。
【００５３】
器材の登録を行う場合、作業者は、図３Ｄに示す登録画面において器材アイコンＩ４を選択する。第１の表示制御部７０ａは、器材に関する画像が含まれるフォルダを表示させる（図４Ａ参照）。作業者は、フォルダの中から借用器材Ｘに含まれるトレーＴ１の画像を選択する。第１の表示制御部７０ａは、選択されたトレーＴ１の画像を表示部４０に表示させる（図４Ｂ参照）。作業者が登録アイコンＩ６を選択すると、器材登録部７０ｂは、借用器材Ｘに対してトレーＴ１を関連付けて医療器材記憶部６０ａに登録する。
【００５４】
なお、トレーＴ１に含まれている個々の器材の画像を借用器材Ｘに関連付けて登録することも可能である。この場合、作業者は詳細アイコンＩ７を選択する。第１の表示制御部７０ａは、図４Ａと同様、器材に関する画像のフォルダを表示させる。そして、作業者がフォルダの中からトレーＴ１に含まれる個々の器材の画像（たとえば、図４Ａに示した器材ｔ１、器材ｔ２）を選び、登録アイコンＩ６を選択することにより、器材の画像を登録することができる。
【００５５】
３．インプラントの登録
一方、インプラントの登録を行う場合、作業者は、図３Ｄに示す登録画面においてインプラントアイコンＩ５を選択する。第１の表示制御部７０ａは、インプラントに関する画像のフォルダを表示させる（図５Ａ参照）。作業者は、フォルダの中から借用器材Ｘに含まれるインプラントｐ１の画像を選択する。第１の表示制御部７０ａは、選択されたインプラントｐ１の画像を表示部４０に表示させる（図５Ｂ参照）。作業者が登録アイコンＩ８を選択すると、器材登録部７０ｂは、借用器材Ｘに対してインプラントｐ１の画像を関連付けて医療器材記憶部６０ａに登録する。なお、インプラントｐ１が複数の個品を含む場合、作業者は登録画面上で個品の数を入力することができる。図５Ｂは、インプラントｐ１が含む個品ｅ１〜個品ｅ４の数（４個）が入力された状態を示す。図５Ａ及び図５Ｂは「第２の登録画面」の一例である。
【００５６】
４．個品の登録
更に、インプラントの個品を登録する場合、作業者は、図５Ｂに示す登録画面において詳細アイコンＩ９を選択する。第１の表示制御部７０ａは、インプラントｐ１に対する個品の登録画面を表示させる（図６Ａ参照）。この例において、インプラントｐ１が４つの個品を含むという情報が予め入力されているため、登録画面においては、４つの個品の画像を登録するためのエリアＥ１〜エリアＥ４が表示される。作業者は、エリアＥ１〜Ｅ４を順次選択する。当該選択を受けて、第１の表示制御部７０ａは、個品に関する画像のフォルダを表示させる。作業者は、フォルダの中からインプラントｐ１に含まれる個品の画像を選択する。第１の表示制御部７０ａは、選択された個品の画像を表示部４０に表示させる（図６Ｂ参照）。作業者が登録アイコンＩ１０を選択すると、器材登録部７０ｂは、インプラントｐ１に対して個品ｅ１〜個品ｅ４の画像及び個品の数（４個）を関連付けて医療器材記憶部６０ａに登録する。なお、作業者は、詳細アイコンＩ１１を選択して個品のサイズ等を記入することにより、個品ｅ１〜個品ｅ４に対して識別情報を付与することができる。器材登録部７０ｂは、記入された識別情報を個品の画像に関連付けて登録する。図６Ａ及び図６Ｂは「第２の登録画面」の一例である。
【００５７】
５．登録後の表示
上述のように借用器材Ｘ及び借用器材Ｘに含まれる器材やインプラントの登録が完了すると、図３Ａの登録画面には、借用器材Ｘの画像が表示される（図７Ａ参照）。ここで、作業者が借用器材Ｘの画像を選択した場合、第１の表示制御部７０ａは、借用器材Ｘに関して登録された器材やインプラントの画像をサムネイル表示させることができる（図７Ｂ参照）。また、この際、器材の画像を表示する領域とインプラントの画像を表示する領域とで表示態様を変える（たとえば、インプラントを特定色の表示枠で囲む）ことも可能である。更に、インプラントの画像に含まれる個品を登録した場合、第１の表示制御部７０ａはインプラントの画像と併せて個品の数を表示させる。
【００５８】
＜＜端末Ｐ２＞＞
医療行為の後、借用器材やそれに含まれる器材の数が医療行為の前と同じであるか（紛失していないか）、或いはインプラントの使用・未使用について管理を行う必要がある。本実施形態に係る端末Ｐ２は、医療行為の後に回収された借用器材やインプラント（個品）のカウントを実行するための装置として機能する。端末Ｐ２は、通信部８０、記憶部１１０、制御部１２０を備え、表示部９０及び操作部１００に接続されている。
【００５９】
（通信部・表示部・操作部）
通信部８０は、ネットワークＮを介してサーバＳや端末Ｐ１とのデータの送受信を行う。表示部９０は、医療器材の画像や個々の器材のリスト等を表示する。表示部９０は、端末Ｐ２と一体化された構成であってもよい。操作部１００は、マウス等の入力手段である。或いは、タッチパネル方式の表示部９０が操作部１００を兼ねるように構成してもよい。作業者は、操作部１００を介して端末Ｐ２に対する指示入力を行う。操作部１００は、端末Ｐ２と一体化された構成であってもよい。
【００６０】
（記憶部）
記憶部１１０は、各種のデータを記憶する大容量の記憶装置である。図１に示すように、本実施形態では、借用器材記憶部１１０ａ、表示レイアウト記憶部１１０ｂが、記憶部１１０の記憶領域の一部として構成される。
【００６１】
本実施形態において、各記憶部は端末Ｐ１の各記憶部と同じデータを記憶している。端末Ｐ１のデータに変更があった場合（たとえば、新たな借用器材が登録された場合）、端末Ｐ２は、サーバＳを介して間接的に、或いは端末Ｐ１から直接、変更されたデータを受信し、記憶されているデータの更新を行う。
【００６２】
（制御部）
制御部１２０は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。制御部１２０は、操作部１００からの信号（指示入力）を検出し、対応する処理を実行する。
【００６３】
本実施形態に係る制御部１２０は、第２の表示制御部１２０ａ及びカウント処理部１２０ｂとして機能する。
【００６４】
［第２の表示制御部］
第２の表示制御部１２０ａは、端末Ｐ２における各種表示制御を行う。
【００６５】
本実施形態に係る第２の表示制御部１２０ａは、借用器材の使用後に、当該借用器材の画像を表示部９０に表示させる。また、第２の表示制御部１２０ａは、当該借用器材に関連付けられた個品の画像を表示部９０に表示させる。これら画像の表示については後述する。
【００６６】
これら画像の表示は、表示レイアウト記憶部６０ｂに記憶されているレイアウトデータに基づいて行われる。第２の表示制御部１２０ａは「表示制御部」の一例である。
【００６７】
［カウント処理部］
カウント処理部１２０ｂは、指示入力に基づいて借用器材のカウントを実行する。また、カウント処理部１２０ｂは、個品の画像の選択に基づいて個品のカウントを実行する。カウント処理の詳細は後述する。
【００６８】
［カウント処理から借用器材返却までの具体例］
ここで、図８Ａ〜図１１Ｂを参照し、借用器材Ｘに含まれる器材のカウントから返却までに端末Ｐ２で実行される処理の具体例について説明を行う。図８Ａ〜図１１Ｂは、表示部９０に表示される画面を示す。作業者は操作部１００を介して各種入力（選択）を行うとする。
【００６９】
１．借用器材に含まれる器材のカウント
作業者が端末Ｐ２からシステム１にログインした場合、第２の表示制御部１２０ａは、借用器材Ｘのカウント画面を表示させる（図８Ａ参照）。図８Ａのカウント画面にはカウンタＣ１が表示されている。カウンタＣ１には、借用器材Ｘに関する情報に含まれる器材点数（１３個）が表示されている。ここで、作業者は手元にある回収された借用器材Ｘに含まれる器材の数を確認しながら、カウント画面をタッチする。カウント処理部１２０ｂは、タッチされた回数に応じてカウンタＣ１の数値を変動させる（図８Ｂ参照）。カウント処理部１２０ｂは、カウントの結果を借用器材Ｘに関連付けて、たとえば、借用器材記憶部１１０ａに登録する。なお、借用器材の中にはメーカー側で二次元シンボル等の識別子が付されているものもある。この場合、カウント画面をタッチする代わりにリーダ（図示なし）で識別子を読み込むことにより、器材のカウントを行ってもよい。
【００７０】
２．個品のカウント
また、インプラントｐ１に含まれる個品のカウントを行う場合、第２の表示制御部１２０ａは、個品のカウント画面を表示させる（図９Ａ参照）。図９Ａのカウント画面にはカウンタＣ２が表示されている。カウンタＣ２には、インプラントｐ１に含まれる個品の数（４個）が表示されている。ここで、作業者は手元にあるインプラントに含まれる個品の数を確認しながら、対応する個品の画像を選択する。カウント処理部１２０ｂは、選択された回数に応じてカウンタＣ２の数値を変動させる。また、第２の表示制御部１２０ａは、選択された画像の表示態様を変更させる（図９Ｂ参照。図９Ｂでは選択された画像をハッチングで示す）。このように表示態様を変更させることにより、作業者はインプラントに含まれる個品のうち、どれを使用したか（或いは使用していないか）を容易に把握できる。カウント処理部１２０ｂは、カウントの結果を借用器材Ｘに関連付けて、たとえば、借用器材記憶部１１０ａに登録する。
【００７１】
なお、個品の画像に識別情報が関連付けられている場合、第２の表示制御部１２０ａは、カウント画面において、個品の画像と併せて識別情報を表示させることも可能である。また、ここではインプラントに含まれる個品の数をカウントする例について述べたが、借用器材に複数のインプラントが含まれる場合、上記と同様の方法によりインプラントの数をカウントすることも可能である。
【００７２】
３．借用器材の洗浄・組立・滅菌
借用器材Ｘに含まれる器材やインプラントの数量確認が完了した後、借用器材Ｘに対して洗浄・組立・滅菌の処理が施される。数量確認が完了した場合、第２の表示制御部１２０ａは、借用器材Ｘの画像等が表示される画面において、洗浄完了アイコンＩ１２、組立完了アイコンＩ１３及び滅菌完了アイコンＩ１４を表示させる（図１０Ａ参照）。
【００７３】
なお、これらのアイコンを表示させるかどうかは、借用器材に関して入力された情報に基づいて判断されてもよい。たとえば図３Ｃの例で、借用器材Ｘについては滅菌方法が入力されている。従って、借用器材Ｘは滅菌処理が必要であると判断できる。この場合、第２の表示制御部１２０ａは、当該入力された情報に基づいて、滅菌完了アイコンＩ１４を表示させる。
【００７４】
洗浄・組立・滅菌が完了した場合、作業者はそれぞれのアイコンを選択する。第２の表示制御部１２０ａは選択されたアイコンの表示態様を未選択のアイコンの表示態様と異ならせる（図１０Ｂ参照。図１０Ｂでは選択された洗浄完了アイコンＩ１２をハッチングで示している）。
【００７５】
４．借用器材の返却
図１０Ａにおいて表示された全てのアイコンが選択された場合、第２の表示制御部１２０ａは、返却アイコンＩ１５を表示させる（図１１Ａ参照）。メーカーへの返却が完了した後、作業者が返却アイコンＩ１５を選択することにより、借用器材Ｘが返却された旨の情報が借用器材記憶部１１０ａに登録される。
【００７６】
なお、返却アイコンＩ１５の選択に基づいて、借用器材記憶部１１０ａから借用器材Ｘに関する情報が消去されることでもよい。また、借用器材の洗浄・組立・滅菌・返却を行う際の上記処理に関しては、端末Ｐ２以外の端末（たとえば、洗浄を行うエリアに配置される端末等）で実行されることでもよい。
【００７７】
このように本実施形態に係るシステム１によれば、新たな借用器材に含まれるインプラントの画像や当該インプラントに含まれる個品の画像を借用器材の使用前に予め登録することが可能となる。従って、作業者は借り入れた借用器材やインプラントの情報を正確に管理することができる。また、借用器材の使用後に回収した器材やインプラントのカウントを行うことにより、器材の紛失が無いか、どのインプラントを使用したか等を容易に把握することができる。特にインプラント（インプラントに含まれる個品）は、医療行為の前後で数が異なる。しかし、本実施形態に係るシステム１によれば、たとえば使用後にインプラントが足りない場合に、医療行為で使用されたことが原因か、医療行為中に紛失したのか、そもそも借用時に無かったのかを判断することができる。すなわち、本実施形態に係るシステム１によれば、借用器材に含まれるインプラントの管理を行うことができる。
【００７８】
＜第２実施形態＞
図１２を参照して、第２実施形態に係るインプラント管理システム（以下、「システム１´」という場合がある）について説明する。
【００７９】
第１実施形態では、借用器材の使用後に、予め登録したインプラントの個品の画像をカウント画面に表示させ、目視で手元にある個品と対比することにより、実際に使用した個品の特定を行う例について述べた。本実施形態では、画像処理を利用して実際に使用した個品の特定を自動で行う例について述べる。第１実施形態と同様の構成については詳細な説明を省略する。
【００８０】
図１２に示すように、本実施形態に係る端末Ｐ２の制御部１２０は、第２の表示制御部１２０ａ、及び特定部１２０ｃとして機能する。
【００８１】
［特定部］
特定部１２０ｃは、使用されなかった個品を撮影した撮影画像、及び個品の画像に基づいて、使用された個品を特定する。
【００８２】
たとえば、インプラントｐ１に含まれる個品ｅ１〜個品ｅ４のうち、個品ｅ４が医療行為で使用された（患者の体内に埋め込まれた）とする。この場合、医療行為の後に回収されたインプラントｐ１としては個品ｅ１〜個品ｅ３のみが含まれる。作業者は撮影機器を用い、回収した個品ｅ１〜個品ｅ３を撮影する。個品ｅ１〜個品ｅ３の撮影画像は、撮影機器から端末Ｐ２に送信される。特定部１２０ｃは、インプラントｐ１に関連付けられている個品ｅ１〜個品ｅ４の画像と個品ｅ１〜個品ｅ３の撮影画像とを比較し、一致する個品の画像を判断する。各画像が一致するかどうかの判断は、公知の画像処理手法を利用することができる。この場合、個品ｅ１〜個品ｅ３の画像は一致する撮影画像が存在する。一方、個品ｅ４の画像は一致する撮影画像が存在しない。従って、特定部１２０ｃは、使用された個品として個品ｅ４を特定することができる。
【００８３】
［第２の表示制御部］
本実施形態に係る第２の表示制御部１２０ａは、特定された個品の画像と他の個品の画像とを異なる態様で表示させる。たとえば、上記例で個品ｅ４が特定された場合、第２の表示制御部１２０ａは、個品ｅ１〜個品ｅ３の画像の色と個品ｅ４の画像の色を異なる色で表示部９０に表示させる。
【００８４】
このように本実施形態に係るシステム１によれば、インプラントに含まれる類似する複数の個品の中から、実際の医療行為で使用した個品を容易に把握することができる。
【００８５】
＜その他＞
上記実施形態におけるサーバＳは、複数の端末（端末Ｐ１、端末Ｐ２）を中継する役割を有する。一方、借用器材に関するデータをサーバＳ（記憶部１０）のみで管理し、各端末では借用器材に関するデータを記憶しない構成とすることも可能である。この場合、各端末における記憶容量を抑えることができる。また、本発明に係るインプラント管理システムは、サーバＳを有さず、複数の端末のみからなる構成であってもよい。或いは、一の端末のみでインプラント管理システムを構成することも可能である。この場合、一の端末における表示処理部が第１の表示制御部７０ａ及び第２の表示制御部１２０ａの機能を兼ねる。
【００８６】
上記実施形態のプログラムが記憶された非一時的なコンピュータ可読媒体（non-transitory computer readable medium with an executable program thereon）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Read Only Memory）等がある。
【００８７】
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８８】
１  インプラント管理システム（システム）
７０ａ  第１の表示制御部
７０ｂ  器材登録部
７０ｃ  判別部
１２０ａ  第２の表示制御部
１２０ｂ  カウント処理部
Ｐ１、Ｐ２  端末
【図１】
2018036746.tif 000003
【図２】
2018036746.tif 000004
【図３Ａ】
2018036746.tif 000005
【図３Ｂ】
2018036746.tif 000006
【図３Ｃ】
2018036746.tif 000007
【図３Ｄ】
2018036746.tif 000008
【図４Ａ】
2018036746.tif 000009
【図４Ｂ】
2018036746.tif 000010
【図５Ａ】
2018036746.tif 000011
【図５Ｂ】
2018036746.tif 000012
【図６Ａ】
2018036746.tif 000013
【図６Ｂ】
2018036746.tif 000014
【図７Ａ】
2018036746.tif 000015
【図７Ｂ】
2018036746.tif 000016
【図８Ａ】
2018036746.tif 000017
【図８Ｂ】
2018036746.tif 000018
【図９Ａ】
2018036746.tif 000019
【図９Ｂ】
2018036746.tif 000020
【図１０Ａ】
2018036746.tif 000021
【図１０Ｂ】
2018036746.tif 000022
【図１１Ａ】
2018036746.tif 000023
【図１１Ｂ】
2018036746.tif 000024
【図１２】
2018036746.tif 000025